(57)【要約】【課題】  内容物充填後にシールされる開口部６を有する合成樹脂フィルム製の量り売り食品用包装袋において、内容物を充填してシールした後に袋ごと電子レンジ加熱に供した場合に、所定の位置から蒸気抜きをすることができるようにし、蒸気抜きに伴う汁漏れを防止できるようにする。【解決手段】  上部に、内容物充填後にシール部７ｂでシールされる開口部６を有する自立型袋とし、開口部６のシール面に、シール幅と同等以上の幅で易剥離性フィルム３を設けておく。【選択図】      図１１
2005200078.tif 000002
【特許請求の範囲】
【請求項１】
内容物充填後にシールされる開口部を有する合成樹脂フィルム製の量り売り食品用包装袋であって、内容物充填後にシールされる箇所のシール面にシール幅と同等以上の幅で易剥離性フィルムが設けられていることを特徴とする量り売り食品用包装袋。
【請求項２】
両側縁部がシールされて中央部が未シールのまま外方に突出した合掌合わせ部を有し、この合掌合わせ部の未シール部分が開口部を構成しているピロー型袋であることを特徴とする請求項１に記載の量り売り食品用包装袋。
【請求項３】
両側縁部がシールされて中央部が未シールのまま片面外方に突出した合掌合わせ部を有し、この合掌合わせ部の未シール部分が開口部を構成している三方または四方シール型袋であることを特徴とする請求項１に記載の量り売り食品用包装袋。
【請求項４】
上部に開口部を有する自立型袋であることを特徴とする請求項１に記載の量り売り食品用包装袋。
【請求項５】
内容物充填後にシールされる箇所より外側に、手提げ部を形成する孔または切り込みが設けられていることを特徴とする請求項２〜４のいずれか１項に記載の記載の量り売り食品用包装袋。
【請求項６】
重ねられて両側縁部がシールされた表面部および裏面部と、この表面部および裏面部の下端部がシールされた底面部とを有する自立型袋で、裏面部の上端が表面部の上端より上方に延出しており、表面部の上端と裏面部間に開口部が形成されていると共に、裏面部の延出部分に手提げ部となる孔または切り込みが形成されていることを特徴とする請求項１に記載の量り売り食品用包装袋。
【請求項７】
裏面部の延出部分が、該延出部分の上端部を内側に折り返した折り返し片を裏面部に重ねてシールすることで二重に構成されていることを特徴とする請求項６に記載の量り売り食品用包装袋。
【請求項８】
折り返し片の先端部と表面部の上端部とが、両側縁部が互いにシールされて中央部が未シールのまま表面部外方に突出した合掌合わせ部を構成しており、この合掌合わせ部の未シール部分が開口部を構成していることを特徴とする請求項７に記載の量り売り食品用包装袋。
【請求項９】
折り返し部基部の折り部内に空気が抱き込まれてエアチューブ部を構成していることを特徴とする請求項７または８に記載の量り売り食品用包装袋。
【請求項１０】
易剥離性フィルムが、手提げ部に対応する位置からずれて設けられていることを特徴とする請求項５〜９のいずれか１項に記載の量り売り食品用包装袋。
【請求項１１】
易剥離性フィルムの幅が、手提げ部に対応する位置からずれた位置でシール幅と同等以上で、手提げ部に対応する位置でシール幅よりも狭くなっていることを特徴とする請求項５〜９のいずれか１項に記載の量り売り食品用包装袋。
【発明の詳細な説明】
【技術分野】
【０００１】
本発明は、量り売り食品を店頭包装するのに用いられる量り売り食品用包装袋に関する。
【背景技術】
【０００２】
従来、量り売り食品用包装袋としては、筒状の合成樹脂フィルムの一端を融着して底部とした平袋が広く使用されている。
【０００３】
また、２枚のフィルムを、間に易剥離フィルムを挟み込んだ合掌シールにてつなぎ合わせた表面部と、１枚のフィルムで構成された裏面部とを、合掌シール部が表面部の外方に突出した状態で重ね合わせて周縁の三方をシールし、残る一方を内容物充填口となる未シールの開口部とした電子レンジ用包装袋が知られている（例えば、特許文献１を参照）。
【０００４】
【特許文献１】特開２００２−５３１８３号公報
【発明の開示】
【発明が解決しようとする課題】
【０００５】
ところで、従来、量り売り食品用包装袋として汎用されている上記平袋は、店頭において食品を充填した後、開口部を輪ゴムなどで封止して持ち帰りに供されている。
【０００６】
しかしながら、例えば再加熱して食卓に供される総菜類などを包装した場合に、そのまま電子レンジ加熱すると、蒸気の発生に伴う内圧の上昇によって破裂してしまうことになる。このため、袋を開いて食品を食器に移し、ラッピングフィルムをかけてから電子レンジにかけなければならず、利便性に欠ける問題がある。また、食品を封入した袋を更にレジ袋や手提げ袋に入れないと持ち運びにくいという問題もある。
【０００７】
一方、上記従来の電子レンジ用包装袋は、内容物を充填して開口部をシールした状態で電子レンジにかけても、内圧の上昇に伴って、上記易剥離性フィルムを挟み込んだ合掌シール部が部分的に剥離し、蒸気を逃がすことができるので、わざわざ内容物を食器に移し替えることなく電子レンジ加熱ができる利点がある。また、上記合掌シール部は表面部の外方に突出しているので、これを上に向けておくことで、蒸気を逃がすために部分的に剥離しても汁漏れを防止することができる。
【０００８】
しかしながら、上記従来の電子レンジ用包装袋は、レトルト包装を目的としたもので、店頭包装を対象としたものではないことから、これを量り売り食品の店頭包装に用いると、袋ごと電子レンジ加熱に供した場合に、合掌シール部ではなく、内容物充填後に行う開口部のシール部分が剥離してしまい、汁漏れなどを生じてしまいやすい問題がある。つまり、店頭で内容物を充填することになる量り売り食品の店頭包装においては、開口部のシールが店頭の簡易なシール装置で、しかも慣れない作業者の手で行われることから、シール強度にムラを生じやすいことに加えて、開口部の周囲には食品のタレや汁が付着しやすく、これらが付着したままシールが行われることでシール強度が低下しやすい。これらのことから、開口部のシールが不十分となって、合掌シール部に先立ってこの開口部のシールが剥離してしまうことが生じる。また、電子レンジによる加熱後は、合掌シール部を摘んで取り出すことになるが、合掌シール部から蒸気抜きが行われた場合、蒸気の流出通路付近の合掌シール部は蒸気で直接加熱されて熱くなっていることから、取り出しにくくなる問題もある。
【０００９】
本発明は、上記従来の問題点に鑑みてなされたもので、量り売り食品用包装袋において、内容物を充填してシールした後に袋ごと電子レンジ加熱に供した場合に、所定の位置から蒸気抜きをすることができるようにし、蒸気抜きに伴う汁漏れを防止できるようにすることを第１の目的とする。また、本発明は、持ち運びやすく、しかも電子レンジによる加熱後に取り出しやすい量り売り食品用包装袋とすることを第２の目的とする。
【課題を解決するための手段】
【００１０】
本発明は、上記第１の目的のために、内容物充填後にシールされる開口部を有する合成樹脂フィルム製の量り売り食品用包装袋であって、内容物充填後にシールされる箇所のシール面にシール幅と同等以上の幅で易剥離性フィルムが設けられていることを特徴とする量り売り食品用包装袋を提供するものである。
【００１１】
また、本発明は、上記第１の目的をより容易かつ確実に達成できるようにするために、両側縁部がシールされて中央部が未シールのまま外方に突出した合掌合わせ部を有し、この合掌合わせ部の未シール部分が開口部を構成しているピロー型袋であること、
両側縁部がシールされて中央部が未シールのまま片面外方に突出した合掌合わせ部を有し、この合掌合わせ部の未シール部分が開口部を構成している三方または四方シール袋であること、
上部に開口部を有する自立型袋であること、
をその好ましい態様として含み、
さらに上記第２の目的をも達成するために、
内容物充填後にシールされる箇所より外側に、手提げ部となる孔または切り込みが設けられていること、
重ねられて両側縁部がシールされた表面部および裏面部と、この表面部および裏面部の下端部がシールされた底面部とを有する自立型袋で、裏面部の上端が表面部の上端より上方に延出しており、表面部の上端と裏面部間に開口部が形成されていると共に、裏面部の延出部分に手提げ部を形成する孔または切り込みが形成されていること、
裏面部の延出部分が、該延出部分の上端部を内側に折り返した折り返し部を裏面部に重ねてシールすることで二重に構成されていること、
折り返し部の先端部と表面部の上端部とが、両側縁部が互いにシールされて中央部が未シールのまま表面部外方に突出した合掌合わせ部を構成しており、この合掌合わせ部の未シール部分が開口部を構成していること、
折り返し部基部の折り部内に空気が抱き込まれてエアチューブ部を構成していること、
易剥離性フィルムが、手提げ部に対応する位置からずれて設けられていること、
易剥離性フィルムの幅が、手提げ部に対応する位置からずれた位置でシール幅と同等以上で、手提げ部に対応する位置でシール幅よりも狭くなっていること、
をその好ましい態様として含むものである。
【発明の効果】
【００１２】
本発明において、食品充填口として残されている開口部のシール面には易剥離性フィルムが設けられており、内容物の充填後に行われるこの箇所のシールは、電子レンジ加熱時に剥離して蒸気抜きを行う箇所となっている。このため、開口部のシールが所期の通りのものでも不十分なものでも、何れの場合でも内圧の上昇によって剥離するのはこの開口部のシール箇所となり、電子レンジに開口部のシール側を上に向けて入れることで、蒸気抜けに伴う汁漏れを確実に防止することができる。
【００１３】
また、開口部のシール箇所より外側に、手提げ部を形成する孔または切り込みを設けておくと、レジ袋や手提げ袋を使用しなくても容易に持ち運ぶことができると共に、手提げ部を持って電子レンジへの出し入れができるので、電子レンジへの出し入れもしやすくなる。また、手提げ部は、蒸気の流出通路から離すことができるので、流出する蒸気で加熱されにくく、電子レンジ加熱後も持ちやすい。特に、易剥離性フィルムを手提げ部に対応する位置からずらせて設けたり、易剥離性フィルムの幅を手提げ部に対応する位置で狭めておくことで、蒸気の流出通路を手提げ部からずれた位置に形成することができ、加熱後に手提げ部を持って持ち上げたときに、内部から押し出された蒸気が手にかかるのを防止することができる。
【発明を実施するための最良の形態】
【００１４】
以下、図面に基づいて本発明を更に説明する。
【００１５】
図１〜３は本発明の第１の例に係る量り売り食品用包装袋を示すもので、図１は本発明の第１の例に係る量り売り食品用包装袋の分解斜視図、図２は本発明の第１の例に係る量り売り食品用包装袋の平面図、図３は本発明の第１の例に係る量り売り食品用包装袋の開口部をシールした後の平面図である。
【００１６】
本例の量り売り食品用包装袋（以下「包装袋」という）は、図１に示されるように、表面部１および裏面部２と、易剥離性フィルム３とから構成されている。表面部１と裏面部２は、それぞれ基材層の片面に熱融着層を積層した合成樹脂フィルムで、熱融着層側を向き合わせて重ねられている。表面部１と裏面部を構成する合成樹脂フィルムは、基材層の片面または両面に熱融着層を有するものであれば特に制限はないが、基材層としては、例えばポリエステル、ポリプロピレン、ポリアミドなどを用いることができ、熱融着層としては、例えばポリエチレン、アイオノマー樹脂、エチレン−酢酸ビニル共重合体などを用いることができる。基材層は、単層フィルムでも積層フィルムでもよく、内容物の性状等に応じて選択することができる。
【００１７】
裏面部２の上端は表面部１の上端より外方に延出しており、この延出した部分に手提げ部４を形成するための孔５が形成されている。また、表面部１と裏面部の間には、表面部１の上端縁に沿って易剥離性フィルム３が挟み込まれ位置している。この易剥離性フィルム３は、表面部１または裏面部２の一方に熱融着によって付設されるものである。
【００１８】
表面部１と裏面部２は、図２に示されるように、互いに重なった領域の両側縁部と下縁部が熱融着によりシールされており、表面部１の上縁部と裏面部２間は未シール状態で、内容物を充填するための開口部６となっている。すなわち、表面部１と裏面部２は、両側縁部と下縁部に形成されたシール部７ａによって、一辺が開放された袋状をなしている。また、開口部６は、内容物を充填後熱融着シールされるもので、このシール箇所のシール面を構成する表面部１または裏面部２に易剥離性フィルム３が付設されている。
【００１９】
上記本例の包装袋は、開口部６から内容物を充填した後、図３に示されるように、該開口部６を熱融着にてシールすることで密封される。この時、シール面に易剥離性フィルム３が設けられていることから、この開口部６のシールは、易剥離性フィルム３を挟んで、表面部１と裏面部２の熱融着層を熱融着させることで行われることになる。つまり、開口部６をシールするシール部７ｂには易剥離性フィルム３が挟み込まれる。
【００２０】
前記易剥離性フィルム３は、密封後の本包装袋を電子レンジ加熱したときに、内圧の上昇によって上記シール部７ｂを剥離させ、内部に発生した蒸気を逃がすためのもので、表面部１と裏面部２の熱融着層に対するある程度の熱融着性を有し、少なくとも本包装袋を電子レンジ加熱したときにシール部７ｂのシール強度を低下させることができるものを用いることができる。例えば、表面部１および／または裏面部２の熱融着層との熱融着力の弱い単層合成樹脂フィルム、層間剥離しやすい積層合成樹脂フィルム、凝集剥離層を有する積層合成樹脂フィルムなどを用いることができる。更に具体的には、例えばポリプロピレンとポリスチレンのポリマーアロイ、ポリプロピレンとポリエチレンの混合樹脂、ポリプロピレン系多層樹脂、エチレン−酢酸ビニル共重合体フィルムなどを挙げることができ、表面部１や裏面部２の熱融着層の材質に応じて選択することができる。
【００２１】
また、表面部１と裏面部２の熱融着層より低融点の合成樹脂フィルムを易剥離性フィルム３として用いることもできる。この熱融着層より低融点の合成樹脂フィルムを易剥離性フィルム３として用いた場合、本包装袋の電子レンジ加熱に伴って、熱融着層が軟化または溶融してシール部７ａのシール強度が大きく低下する前に軟化または溶融し、この低融点の合成樹脂フィルムが介在したシール部７ｂのシール強度を低下させて剥離させることができる。
【００２２】
上記易剥離性フィルム３は、本包装袋の内側と外側を連通させる剥離箇所を確実に形成できるよう、シール部７ｂの幅と同等またはそれ以上の幅を有するものとなっている。但し、シール部７ｂの形成は店頭で行われるもので、正確に易剥離性フィルム３の位置に合わせてシールすることは困難であることから、易剥離性フィルム３の幅はシール部７ｂの幅より十分広くしておくことが好ましい。また、表面部１および／または裏面部１の外面に、印刷などでシール位置を表示しておくことも好ましい。
【００２３】
本例の包装袋の場合、シール部７ｂが上となるように、例えば丼などを用いて立て掛けて電子レンジに入れて加熱すれば、易剥離性フィルム３を挟み込んだシール部７ｂがいずれかの位置で部分的に剥離し、そこから蒸気を逃がすことができると共に、この剥離箇所からの汁漏れをも防止することができる。
【００２４】
シール部７ｂの形成は、シール面に汁などの異物が付着していない状態で行うことが好ましいが、シール部７ｂは蒸気抜きのためにシール強度を弱める箇所であることから、持ち帰り時の汁漏れを防止できる程度にシールされていれば、異物が付着した状態で行われた不十分なシールであっても支障がない。また、手提げ部４は、本包装袋を直接下げて持ち帰ることを可能にするだけでなく、剥離して蒸気の流出通路が形成されるシール部７ｂの外側に形成されているので、流出する蒸気で直接熱せられることがなく、電子レンジ加熱後も持ちやすく、取り扱い性が向上する。
【００２５】
図４及び図５は本発明の第２の例に係る包装袋を示すもので、図４は本発明の第２の例に係る包装袋の斜視図、図５は本発明の第２の例に係る包装袋の開口部をシールした後の平面図である。
【００２６】
本例の包装袋は、表面部１と裏面部２を構成する１枚の合成樹脂フィルムを、熱融着層を内側にして巻き丸め、巻き方向に対して直行方向の両端縁部をシール部７ａでシールすると共に、巻き方向の両端部を、熱融着層同志を向き合わせて合掌させ、この合掌部を、両側縁部がシール部７ａでシールされて中央部が未シールのまま外方に突出した合掌合わせ部８とし、この合掌合わせ部８の未シール部分を開口部６としたピロー型袋となっている。合掌合わせ部８の開口部６は、内容物の充填後にシール部７ｂでシールされるが、このシール面には、前記第１の例と同様に易剥離性フィルム３が設けられている。また、開口部６をシールするためのシール部７ｂより外方には、手提げ部４を形成するための切り込み９が設けられている。
【００２７】
本例の包装袋の場合、図５に示されるように、合掌合わせ部８を上にし、これを立てて電子レンジに入れると、その状態で安定させることができるので、第１の例のように立て掛けることなくシール部７ｂを上側に位置させて電子レンジ加熱を行うことができる。
【００２８】
図６〜図８は本発明の第３の例に係る包装袋を示すもので、図６は本発明の第３の例に係る包装袋の分解斜視図、図７は本発明の第３の例に係る包装袋の斜視図、図８は本発明の第３の例に係る包装袋の開口部をシールした後の平面図である。
【００２９】
本例の包装袋における表面部１は、２枚の合成樹脂フィルムの一端同志を、熱融着層同志を向き合わせて合掌させ、この合掌部の両側縁部をシール部７ａでシールし、中央部が未シールのまま外方に突出させた合掌合わせ部８でつなぎ合わせたものとなっている。また、この合掌合わせ部８の未シール部分は、開口部６を構成するもので、前記第１の例と同様に易剥離性フィルム３が設けられている。
【００３０】
一方、裏面部２は１枚の合成樹脂フィルムで構成されており、上記表面部１とこの裏面部２をそれぞれ熱融着層同志を向き合わせて重ね合わせ、周縁部がシール部７ａでシールされている。つまり、本例の包装袋は、合掌合わせ部８の未シール部分が開口部６となった四方シール型袋となっている。
【００３１】
前記第２の例と同様に、合掌合わせ部８に設けられた開口部６は、内容物の充填後にシール部７ｂでシールされるもので、このシール部７ｂより外方には、手提げ部４を形成するための切り込み９が設けられている。
【００３２】
本例の包装袋も前記第２の例と同様に、図８示されるように、合掌合わせ部８を上にし、これを立てて電子レンジに入れると、その状態で安定させることができるので、第１の例のように立て掛けることなくシール部７ｂを上側に位置させて電子レンジ加熱を行うことができる。
【００３３】
なお、本例は４方シール型袋となっているが、表面部１を構成する一方の合成樹脂フィルムを裏面部２と一体の合成樹脂フィルムとすることで、三方シール型袋とすることもできる。
【００３４】
図９〜図１１は本発明の第４の例に係る包装袋を示すもので、図９は本発明の第４の例に係る包装袋の分解斜視図、図１０は本発明の第４の例に係る包装袋の斜視図、図１１は本発明の第４の例に係る包装袋の開口部をシールした後の平面図である。
【００３５】
本例の包装袋は、それぞれ合成樹脂フィルム製の表面部１と、裏面部２と、底面部１０を備えたものとなっている。表面部１と裏面部２は、横長形状となっている点以外は前述の第１の例と同様のもので、裏面部２の上端は表面部１の上端より外方に延出しており、この延出した部分には手提げ部４を形成するための孔５が形成されている。また、表面部１と裏面部の間には、表面部１の上端縁に沿って易剥離性フィルム３が挟み込まれ位置しており、表面部１または裏面部２の一方に熱融着によって付設されている。
【００３６】
底面部１０は、表面部１および裏面部２と同幅で、熱融着層を内側にしてＶ字形に折られたもので、表面部１と裏面部２の下縁側に挟み込まれている。この底面部１０を挟み込んだ表面部１と裏面部２は、両側縁部がシール部７ａによりシールされており、底面部１０付の自立型袋を形成している。また、表面部１の上縁と裏面部２間は未シールで、前述の第１の例と同様に、シール面に易剥離性フィルム３が設けらた開口部６を形成している。
【００３７】
上記開口部６は、前記第１の例と同様に、内容物の充填後にシール部７ｂでシールされるもので、手提げ部４を形成するための切り込み９は、このシール部７ｂより外方に位置している。
【００３８】
本例の包装袋の場合、底面部１０を有することから、内容積を大きくすることができると共に、底面部１０によって自立性が得られるので、電子レンジ内に、蒸気の放出位置となるシール部７ｂを上側にして安定して立てて入れることができる。
【００３９】
図１２〜図１４は本発明の第５の例に係る包装袋を示すもので、図１２は本発明の第５の例に係る包装袋の分解斜視図、図１３は本発明の第５の例に係る包装袋の斜視図、図１４は本発明の第５の例に係る包装袋の開口部をシールした後の平面図である。
【００４０】
基本的には上記第４の例と同様であるが、表面部１の上端より外方に延出した裏面部２の延出部分が、その上端を内側に折り返した折り返し部１１を重ねてシール部７ｃで裏面部２と一体化させることにより二重に構成されている。この点以外は上記第４の例と同様で、図１２〜１４における図９〜図１１と同じ符号は同じ部材又は部位を示す。
【００４１】
本例の包装袋の場合、手提げ部４周りを含む上部が二重の合成樹脂フィルムで構成されてある程度の剛性が付与されるので、手提げ部４を持って下げた時に、手提げ部４および包装袋全体の形状が変形しにくく、持ちやすくなる。
【００４２】
図１５〜図１７は本発明の第６の例に係る包装袋を示すもので、図１５は本発明の第６の例に係る包装袋の分解斜視図、図１６は本発明の第６の例に係る包装袋の斜視図、図１７は本発明の第６の例に係る包装袋の開口部をシールした後の平面図である。
【００４３】
本例の包装袋は、上記第５の例をシール部７ａでシールされて中央部が未シールのまま表面部１の外方に突出した合掌合わせ部８を構成しており、この合掌合わせ部８の未シール部分が、易剥離性フィルム３が設けられた開口部６を構成している。この点以外は上記第５の例と同様で、図１５〜１７における図１２〜図１４と同じ符号は同じ部材又は部位を示す。
【００４４】
本例の包装袋の場合、底面部１０を下にして立てて電子レンジに入れても、合掌合わせ部８を立てて寝かせて電子レンジに入れても、蒸気抜きに伴う汁漏れを防止することができる。また、合掌合わせ部８の突出方向を調節することにより、蒸気の抜ける方向を手提げ部４とは異なる方向に向けることができるので、加熱後に手提げ部４を持って電子レンジから取り出すときに、内部から蒸気が押し出されて手にかかるのを防止することができる。
【００４５】
図１８〜図２０は本発明の第７の例に係る包装袋を示すもので、図１８は本発明の第７の例に係る包装袋の分解斜視図、図１９は本発明の第７の例に係る包装袋の斜視図、図２０は本発明の第７の例に係る包装袋の開口部をシールした後の平面図である。
【００４６】
本例の包装袋は、基本的には上記第６の例と同様であるが、開口部６のシール箇所が合掌合わせ部８自体ではなく、合掌合わせ部８の基部より袋の内側に設定されており、合掌合わせ部８の基部より袋の内側の表面部１と裏面部２の間に易剥離性フィルム３が挟み込まれている。この点以外は上記第６の例と同様で、図１８〜２０における図１５〜図１７と同じ符号は同じ部材又は部位を示す。
【００４７】
本例の包装袋の場合、開口部６をシールするときに、シール台に安定した状態で置きやすいので、前期第６の例に比して開口部６のシール作業が行いやすくなる。
【００４８】
図２１は易剥離性フィルムを設ける場合の他の例を示す平面図で、図１２〜図１４と同じ符号は同じ部材又は部位を示す。
【００４９】
本例の易剥離性フィルム３は、開口部６のシール面全長に亘って設けられているものではなく、開口部６の両端部に分かれて部分的に設けられており、付設位置が手提げ部４に対応する位置からずれたものとなっている。
【００５０】
本例の包装袋の場合、蒸気抜きが手提げ部４からずれた位置から行われることになるので、加熱後に手提げ部４を持って電子レンジから取り出すときに、内部から蒸気が押し出されて手にかかるのを防止することができる。
【００５１】
図２２は易剥離性フィルムを設ける場合のさらに他の例を示す平面図で、図１２〜図１４と同じ符号は同じ部材又は部位を示す。
【００５２】
本例の易剥離性フィルム３は、中央部の幅が両側部の幅より狭くなっている。つまり、手提げ部４に対応する位置でシール部７ｂのシール幅よりも狭く、提げ部４に対応する位置からずれた位置でシール部７ｂのシール幅と同等以上となっている。
【００５３】
本例の包装袋の場合、易剥離性フィルム３の幅がシール部７ｂのシール幅よりも狭くなっている箇所では、表面部１と裏面部２の熱融着層同志が直接融着される領域を生じることから、貫通した剥離が生じにくくなり、蒸気抜きは、貫通した剥離を生じやすい、易剥離性フィルム３の幅がシール部７ｂのシール幅と同等以上となった箇所から生じる。つまり、蒸気抜きが手提げ部４からずれた位置から行われることになるので、加熱後に手提げ部４を持って電子レンジから取り出すときに、内部から蒸気が押し出されて手にかかるのを防止することができる。
【００５４】
図２３は手提げ部の他の例を示す平面図で、図１２〜図１４と同じ符号は同じ部材又は部位を示す。
【００５５】
本例の包装袋における折り返し部１１と裏面部２を一体化するシール部７ｃは、折り返し部１１の基部に形成されている折り部付近には施されて折らず、この折り部内に空気を抱き込ませ、周囲を封止してエアチューブ部１２を構成している。
【００５６】
本例の包装袋の場合、手提げ部４にクッション性のある膨らみが持たされて握りやすくなると共に、本包装袋の上縁が変形しにくくなって、持ち運びやすくなる。
【図面の簡単な説明】
【００５７】
【図１】本発明の第１の例に係る量り売り食品用包装袋の分解斜視図である。
【図２】本発明の第１の例に係る量り売り食品用包装袋の平面図である。
【図３】本発明の第１の例に係る量り売り食品用包装袋の開口部をシールした後の平面図である。
【図４】本発明の第２の例に係る量り売り食品用包装袋の斜視図である。
【図５】本発明の第２の例に係る量り売り食品用包装袋の開口部をシールした後の平面図である。
【図６】本発明の第３の例に係る量り売り食品用包装袋の分解斜視図である。
【図７】本発明の第３の例に係る量り売り食品用包装袋の斜視図である。
【図８】本発明の第３の例に係る量り売り食品用包装袋の開口部をシールした後の平面図である。
【図９】本発明の第４の例に係る量り売り食品用包装袋の分解斜視図である。
【図１０】本発明の第４の例に係る量り売り食品用包装袋の斜視図である。
【図１１】本発明の第４の例に係る量り売り食品用包装袋の開口部をシールした後の平面図である。
【図１２】本発明の第５の例に係る量り売り食品用包装袋の分解斜視図である。
【図１３】本発明の第５の例に係る量り売り食品用包装袋の斜視図である。
【図１４】本発明の第５の例に係る量り売り食品用包装袋の開口部をシールした後の平面図である。
【図１５】本発明の第６の例に係る量り売り食品用包装袋の分解斜視図である。
【図１６】本発明の第６の例に係る量り売り食品用包装袋の斜視図である。
【図１７】本発明の第６の例に係る量り売り食品用包装袋の開口部をシールした後の平面図である。
【図１８】本発明の第７の例に係る量り売り食品用包装袋の分解斜視図である。
【図１９】本発明の第７の例に係る量り売り食品用包装袋の斜視図である。
【図２０】本発明の第７の例に係る量り売り食品用包装袋の開口部をシールした後の平面図である。
【図２１】易剥離性フィルムを設ける場合の他の例を示す平面図である。
【図２２】易剥離性フィルムを設ける場合のさらに他の例を示す平面図である。
【図２３】手提げ部の他の例を示す平面図である。
【符号の説明】
【００５８】
１    表面部
２    裏面部
３    易剥離性フィルム
４    手提げ部
５    孔
６    開口部
７ａ  シール部
７ｂ  シール部
７ｃ  シール部
８    合掌合わせ部
９    切り込み
１０  底面部
１１  折り返し部
１２  エアチューブ部
【図１】
2005200078.tif 000003
【図２】
2005200078.tif 000004
【図３】
2005200078.tif 000005
【図４】
2005200078.tif 000006
【図５】
2005200078.tif 000007
【図６】
2005200078.tif 000008
【図７】
2005200078.tif 000009
【図８】
2005200078.tif 000010
【図９】
2005200078.tif 000011
【図１０】
2005200078.tif 000012
【図１１】
2005200078.tif 000013
【図１２】
2005200078.tif 000014
【図１３】
2005200078.tif 000015
【図１４】
2005200078.tif 000016
【図１５】
2005200078.tif 000017
【図１６】
2005200078.tif 000018
【図１７】
2005200078.tif 000019
【図１８】
2005200078.tif 000020
【図１９】
2005200078.tif 000021
【図２０】
2005200078.tif 000022
【図２１】
2005200078.tif 000023
【図２２】
2005200078.tif 000024
【図２３】
2005200078.tif 000025